(57)【特許請求の範囲】
【請求項１】
エレベーターの異常コードと制御パラメータとの組合せごとに復旧指令及び復旧成功率が記憶されている復旧指令データベースと、
エレベーターから異常コード及び制御パラメータが送信された場合に、当該異常コードと当該制御パラメータとの組合せで前記復旧指令データベースを検索する故障内容分析部と、
前記故障内容分析部による検索結果に含まれる復旧指令の中で復旧成功率が最も高い復旧指令をエレベーターに送信する運転指令部と、
前記運転指令部から送信された復旧指令に基づいてエレベーターを動作させる運転制御部と、
前記運転指令部から送信された復旧指令によってエレベーターの復旧が成功したか否かを判定する指令結果判定部と、
前記運転指令部から送信された復旧指令によってエレベーターの復旧が成功したと前記指令結果判定部により判定された場合に当該復旧指令の復旧成功率を増加させ、前記運転指令部から送信された復旧指令によってエレベーターの復旧が成功していないと前記指令結果判定部により判定された場合に当該復旧指令の復旧成功率を減少させるデータベース更新部と、
を備え、
前記データベース更新部は、前記運転指令部からの復旧指令の送信及び当該復旧指令によってエレベーターの復旧が成功していないという前記指令結果判定部による判定が予め設定された一定回数以上連続してなされた場合に、当該復旧指令の復旧成功率を０％に設定するエレベーター制御システム。
【請求項２】
前記故障内容分析部は、検索結果に含まれる全ての復旧指令の復旧成功率が予め設定された基準値以下である場合に、保守作業者を出動させるための出動指令を出力し、
前記運転指令部は、前記故障内容分析部による検索結果に含まれる全ての復旧指令の復旧成功率が前記基準値以下である場合に、エレベーターに復旧指令を送信しない請求項１に記載のエレベーター制御システム。
【請求項３】
前記故障内容分析部は、検索された異常コードと制御パラメータとの組合せが前記復旧指令データベースに存在しない場合に、当該組合せを前記復旧指令データベースに登録し、保守作業者を出動させるための出動指令を出力する請求項１又は２に記載のエレベーター制御システム。
【請求項４】
前記故障内容分析部は、前記運転指令部からの復旧指令の送信及び当該復旧指令によってエレベーターの復旧が成功していないという前記指令結果判定部による判定が予め設定された一定回数以上連続してなされた場合に、保守作業者を出動させるための出動指令を出力する請求項１から３のいずれか１項に記載のエレベーター制御システム。
【請求項５】
前記データベース更新部は、保守作業者によって実施された保守作業の内容及び当該保守作業に対応する復旧指令の少なくとも一方を前記復旧指令データベースに登録する請求項１から４のいずれか１項に記載のエレベーター制御システム。
【発明の詳細な説明】
【技術分野】
【０００１】
本発明は、エレベーターの制御システムに関する。
【背景技術】
【０００２】
下記特許文献１には、エレベーターの復旧作業に必要な情報を管理センターから保守作業者の携帯端末に送信するシステムが記載されている。このシステムによれば、保守作業者がエレベーターの設置場所に派遣される場合に、復旧作業を効率化し得る。
【先行技術文献】
【特許文献】
【０００３】
【特許文献１】日本特開２００３−１０４６４４号公報
【発明の概要】
【発明が解決しようとする課題】
【０００４】
特許文献１に記載のシステムでは、遠隔操作によってエレベーターを復旧可能である場合であっても、保守作業者が派遣される必要がある。このため、保守作業者が不必要に派遣されることを抑制できない。【０００５】
本発明は、上記の課題を解決するためになされた。その目的は、保守作業者が不必要に派遣されることを抑制できるエレベーター制御システムを提供することである。
【課題を解決するための手段】
【０００６】
本発明に係るエレベーター制御システムは、エレベーターの異常コードと制御パラメータとの組合せごとに復旧指令及び復旧成功率が記憶されている復旧指令データベースと、エレベーターから異常コード及び制御パラメータが送信された場合に、当該異常コードと当該制御パラメータとの組合せで復旧指令データベースを検索する故障内容分析部と、故障内容分析部による検索結果に含まれる復旧指令の中で復旧成功率が最も高い復旧指令をエレベーターに送信する運転指令部と、運転指令部から送信された復旧指令に基づいてエレベーターを動作させる運転制御部と、運転指令部から送信された復旧指令によってエレベーターの復旧が成功したか否かを判定する指令結果判定部と、運転指令部から送信された復旧指令によってエレベーターの復旧が成功したと指令結果判定部により判定された場合に当該復旧指令の復旧成功率を増加させ、運転指令部から送信された復旧指令によってエレベーターの復旧が成功していないと指令結果判定部により判定された場合に当該復旧指令の復旧成功率を減少させるデータベース更新部と、を備え、データベース更新部は、運転指令部からの復旧指令の送信及び当該復旧指令によってエレベーターの復旧が成功していないという指令結果判定部による判定が予め設定された一定回数以上連続してなされた場合に、当該復旧指令の復旧成功率を０％に設定するものである。
【発明の効果】
【０００７】
本発明に係るエレベーター制御システムにおいて、運転指令部は、故障内容分析部による検索結果に含まれる復旧指令の中で復旧成功率が最も高い復旧指令をエレベーターに送信する。このため、本発明によれば、保守作業者が不必要に派遣されることを抑制することができる。
【図面の簡単な説明】
【０００８】
【図１】エレベーターの構造の一例を示す模式図である。
【図２】実施の形態１におけるエレベーター制御システムの機能ブロック図である。
【図３】実施の形態１における復旧指令データベースの一例を示す図である。
【図４】実施の形態１における制御装置の動作例を示すフローチャートの一部である。
【図５】実施の形態１における制御装置の動作例を示すフローチャートの残部である。
【図６】実施の形態１における管理センターの動作例を示すフローチャートである。
【図７】管理センターのハードウェア構成図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、エレベーターの構造の一例を示す模式図である。
【００１１】
図１に示すように、エレベーター１は、昇降路２、巻上機３、ロープ４、かご５、釣合おもり６及び制御装置７を備えている。昇降路２は、例えば、図示しない建物の各階を貫くように形成されている。巻上機３は、例えば、図示しない機械室等に設けられている。ロープ４は、巻上機３に巻き掛けられている。かご５及び釣合おもり６は、ロープ４によって昇降路２内に吊り下げられている。かご５及び釣合おもり６は、巻上機３が駆動することにより昇降する。巻上機３は、制御装置７によって制御される。
【００１２】
制御装置７は、巻上機３及び保守装置８と電気的に接続されている。保守装置８は、管理センター９と通信する機能を有する。
【００１３】
制御装置７及び保守装置８は、例えば、エレベーター１が設置された建物に設けられている。管理センター９は、例えば、エレベーター１が設置された建物とは別の建物に設けられている。管理センター９は、例えば、エレベーター１の管理会社に設けられたサーバー等である。
【００１４】
図２は、実施の形態１におけるエレベーター制御システムの機能ブロック図である。図２において、保守装置８の図示は省略されている。
【００１５】
図２に示すように、制御装置７は、運転制御部１０、故障判定部１１及び復旧動作確認部１２を有する。制御装置７は、例えば、図示しない記憶部として、Ｆｌａｓｈメモリ等を有する。管理センター９は、復旧指令データベース１３、故障内容分析部１４、運転指令部１５、指令結果判定部１６及びデータベース更新部１７を有する。なお、図中において、「データベース」という語句は「ＤＢ」と表記されている。
【００１６】
運転制御部１０は、エレベーター１の動作を制御する。運転制御部１０は、例えば、巻上機３の駆動を制御することで、かご５の移動を制御する。運転制御部１０は、例えば、図示しない戸開閉装置を介して、エレベーター１のドアの開閉を制御する。
【００１７】
故障判定部１１は、エレベーター１に発生した異常を検出する診断機能を有する。診断機能は、例えば、エレベーター１の制御パラメータ及び各種のセンサ情報等が正常であるか否かを判定する機能である。制御パラメータは、例えば、エレベーター１の各種機器への動作指令を表す情報である。つまり、制御パラメータは、例えば、リアルタイムで変動するエレベーター１の状態を表す。故障判定部１１は、検出された異常に対応する異常コードを出力する。異常コードは、例えば、異常の種類及び発生箇所等を示す予め設定された情報である。
【００１８】
故障判定部１１は、例えば、制御パラメータが正常でないことに基づいてエレベーター１の異常を検出する。故障判定部１１により異常が検出されると、運転制御部１０は、例えば、エレベーター１を停止させる。故障判定部１１は、例えば、異常が検出された時点の制御パラメータ及び検出された異常に対応する異常コードを管理センター９に送信する。なお、故障判定部１１は、例えば、異常が検出された時点から一定時間遡った時点の制御パラメータを管理センター９に送信してもよい。
【００１９】
復旧指令データベース１３には、エレベーター１の異常コードと制御パラメータとの組合せごとに復旧指令及び復旧成功率が記憶されている。復旧指令は、エレベーター１を異常から復旧させ得る動作指令である。復旧指令は、例えば、エレベーター１の再起動後に実行すべき診断運転等を示す。復旧成功率は、対応する復旧指令によってエレベーター１が復旧する確率である。
【００２０】
図３は、実施の形態１における復旧指令データベースの一例を示す図である。
【００２１】
例えば、図３における「戸開閉診断」という復旧指令と関連付けられている制御パラメータは、少なくともドアの動作を表すものとして正常でない情報を含んでいる。例えば、図３における「トルク診断」という復旧指令と関連付けられている制御パラメータは、少なくとも巻上機の動作を表すものとして正常でない情報を含んでいる。
【００２２】
故障内容分析部１４は、故障判定部１１から異常コード及び制御パラメータが送信された場合に、当該異常コードと当該制御パラメータとの組合せで復旧指令データベース１３を検索する。
【００２３】
運転指令部１５は、例えば、故障内容分析部１４による検索結果に含まれる復旧指令の中で、復旧成功率が一定値以上であり且つ最も高い復旧指令を選択する。運転指令部１５は、選択した復旧指令をエレベーター１の制御装置７に送信する。
【００２４】
故障内容分析部１４は、例えば、検索結果に含まれる全ての復旧指令の復旧成功率が予め設定された基準値以下である場合に、保守作業者１８を出動させるための出動指令を出力する。この場合、運転指令部１５は、復旧指令の送信を行わない。基準値は、例えば、０％以上１００％未満の値に設定される。
【００２５】
故障内容分析部１４は、例えば、検索された異常コードと制御パラメータとの組合せが復旧指令データベース１３に存在しない場合に、当該組合せを新たに復旧指令データベース１３に登録する。この場合、故障内容分析部１４は、保守作業者１８を出動させるための出動指令を出力する。
【００２６】
出動指令は、例えば、管理センター９に接続された表示装置等から報知されてもよい。出動指令は、例えば、保守作業者１８が使用する情報端末に対して送信されてもよい。
【００２７】
運転制御部１０は、運転指令部１５から送信された復旧指令に基づいてエレベーター１を動作させる。運転制御部１０は、例えば、管理センター９から制御装置７への応答が無い場合、エレベーター１の停止を継続させる。
【００２８】
復旧動作確認部１２は、例えば、故障判定部１１と同様の診断機能を有する。復旧動作確認部１２は、運転指令部１５から送信された復旧指令に基づいて動作した後のエレベーター１の制御パラメータが正常であるか否かを判定する。復旧動作確認部１２は、例えば、エレベーター１の制御パラメータが正常である場合に、復旧成功した旨を指令結果として管理センター９に送信する。復旧動作確認部１２は、例えば、エレベーター１の制御パラメータが正常でない場合に、復旧失敗した旨を指令結果として管理センター９に送信する。
【００２９】
運転制御部１０は、例えば、復旧動作確認部１２によりエレベーター１の制御パラメータが正常でないと判定された場合に、エレベーター１を停止させる。
【００３０】
指令結果判定部１６は、復旧動作確認部１２から送信された情報に基づいて、運転指令部１５から送信された復旧指令によってエレベーター１の復旧が成功したか否かを判定する。指令結果判定部１６は、例えば、復旧成功した旨の指令結果を復旧動作確認部１２から受信した場合、エレベーター１の復旧が成功したと判定する。指令結果判定部１６は、例えば、復旧失敗した旨の指令結果を復旧動作確認部１２から受信した場合、エレベーター１の復旧が成功していないと判定する。
【００３１】
データベース更新部１７は、例えば、指令結果判定部１６による判定結果に基づいて、復旧指令データベース１３を更新する。データベース更新部１７は、例えば、運転指令部１５から送信された復旧指令によってエレベーター１の復旧が成功したと指令結果判定部１６により判定された場合に、復旧指令データベース１３に記憶されている当該復旧指令の復旧成功率を増加させる。データベース更新部１７は、例えば、運転指令部１５から送信された復旧指令によってエレベーター１の復旧が成功していないと指令結果判定部１６により判定された場合に、復旧指令データベース１３に記憶されている当該復旧指令の復旧成功率を減少させる。復旧成功率の増加量及び減少量は、例えば、予め設定されている。
【００３２】
なお、運転指令部１５から復旧指令が送信されたにもかかわらず、指令結果判定部１６が復旧動作確認部１２からの情報を受信しなかった場合、データベース更新部１７は、例えば、復旧指令データベース１３を更新しない。つまり、当該復旧指令の復旧成功率は、据置きとされる。
【００３３】
上述したとおり、例えば、故障内容分析部１４による検索結果に含まれる復旧成功率が基準値以下である場合、及び、検索された異常コードと制御パラメータとの組合せが復旧指令データベース１３に存在しない場合には、運転指令部１５から復旧指令が送信されない。これらの場合、管理センター９から出動指令が出力される。保守作業者１８は、出動指令に従い、エレベーター１の設置場所で保守作業を実施する。
【００３４】
保守作業者１８は、例えば、エレベーター１を復旧させた後に、実施した保守作業の内容を管理センター９に入力する。データベース更新部１７は、例えば、保守作業者１８によって実施された保守作業の内容及び当該保守作業に対応する復旧指令の少なくとも一方を復旧指令データベース１３に登録する。
【００３５】
データベース更新部１７は、例えば、故障内容分析部１４による検索結果に含まれる復旧成功率が基準値以下であることを理由として出動指令が出力された場合、当該検索結果に含まれる復旧指令を保守作業の内容及び当該保守作業に対応する復旧指令の少なくとも一方で置き換える。この場合、データベース更新部１７は、例えば、当該検索結果に含まれる復旧成功率を１００％に設定する。
【００３６】
データベース更新部１７は、例えば、検索された異常コードと制御パラメータとの組合せが復旧指令データベース１３に存在しないことを理由として出動指令が出力された場合、新たに登録された当該組合せに保守作業の内容及び当該保守作業に対応する復旧指令の少なくとも一方を関連付ける。この場合、データベース更新部１７は、例えば、当該組合せに関連付けられる保守作業の内容又は復旧指令の復旧成功率を１００％に設定する。
【００３７】
図４は、実施の形態１における制御装置の動作例を示すフローチャートの一部である。図５は、実施の形態１における制御装置の動作例を示すフローチャートの残部である。図４及び図５は、合わせて１つのフローチャートである。
【００３８】
エレベーター１の電源がＯＮになると（ステップＳ１０１）、制御パラメータが初期化される（ステップＳ１０２）。制御装置７は、診断機能を開始し（ステップＳ１０３）、エレベーター１の通常運転を行う（ステップＳ１０４）。
【００３９】
制御装置７は、エレベーター１の通常運転中に、制御パラメータが正常であるか否かを判定する（ステップＳ１０５）。ステップＳ１０５で、制御パラメータが正常であると判定された場合、制御装置７は、通常運転を継続させる。
【００４０】
ステップＳ１０５で、制御パラメータが正常でないと判定された場合、制御装置７は、診断機能及び通常運転を終了させ（ステップＳ１０６）、エレベーター１を停止させる（ステップＳ１０７）。制御装置７は、正常でない制御パラメータを記録する（ステップＳ１０８）。制御装置７は、異常コードを出力する（ステップＳ１０９）。制御装置７は、制御パラメータと異常コードを管理センター９に送信する（ステップＳ１１０）。
【００４１】
制御装置７は、例えば、ステップＳ１１０の処理から一定時間が経過するまでに管理センター９から応答があるか否かを判定する（ステップＳ１１１）。ステップＳ１１１で、管理センター９から応答があると判定された場合、制御装置７は、管理センター９から再起動指令があるか否かを判定する（ステップＳ１１２）。ステップＳ１１２で、管理センター９から再起動指令があると判定された場合、制御装置７は、再起動後に実行する復旧指令をＦｌａｓｈメモリに格納する（ステップＳ１１３）。ステップＳ１１３に続いて、制御装置７が再起動を行うと（ステップＳ１１４）、制御パラメータが初期化される（ステップＳ１１５）。
【００４２】
制御装置７は、Ｆｌａｓｈメモリに格納されている復旧指令を実行する（ステップＳ１１６）。その後、制御装置７は、制御パラメータが正常であるか否かを判定する（ステップＳ１１７）。ステップＳ１１７で、制御パラメータが正常であると判定された場合、制御装置７は、復旧成功した旨の指令結果を管理センター９に送信する（ステップＳ１１８）。ステップＳ１１８に続いて、制御装置７は、ステップＳ１０３の処理を行う。
【００４３】
ステップＳ１１７で、制御パラメータが正常でないと判定された場合、制御装置７は、復旧失敗した旨の指令結果を管理センター９に送信する（ステップＳ１１９）。この場合、エレベーター１を復旧させるために保守作業者１８が出動する。ステップＳ１１９に続いて、制御装置７は、エレベーター１を停止させ（ステップＳ１２０）、電源をＯＦＦにする（ステップＳ１２１）。
【００４４】
ステップＳ１１１で管理センター９から応答が無いと判定された場合、及び、ステップＳ１１２で管理センター９から再起動指令が無いと判定された場合、制御装置７は、エレベーター１の停止を継続させる（ステップＳ１２２）。この場合、エレベーター１を復旧させるために保守作業者１８が出動する。ステップＳ１２２に続いて、制御装置７は、エレベーター１の電源をＯＦＦにする（ステップＳ１２３）。
【００４５】
図６は、実施の形態１における管理センターの動作例を示すフローチャートである。図６は、一例として、基準値が０％である場合を示している。
【００４６】
管理センター９は、エレベーター１から異常コードと制御パラメータを受信する（ステップＳ２０１）。管理センター９は、当該異常コードと当該制御パラメータの組合せで復旧指令データベース１３を検索する（ステップＳ２０２）。管理センター９は、検索結果があるか否かを判定する（ステップＳ２０３）。ステップＳ２０３で、検索結果があると判定された場合、管理センター９は、検索結果に含まれる復旧成功率が０％であるか否かを判定する（ステップＳ２０４）。
【００４７】
ステップＳ２０４で、復旧成功率が０％でないと判定された場合、管理センター９は、検索結果の中で復旧成功率が最も高い復旧指令を選択する（ステップＳ２０５）。管理センター９は、選択した復旧指令をエレベーター１に送信する（ステップＳ２０６）。
【００４８】
管理センター９は、例えば、ステップＳ２０６の処理から一定時間が経過するまでにエレベーター１から指令結果を受信したか否かを判定する（ステップＳ２０７）。ステップＳ２０７で、指令結果を受信したと判定された場合、管理センター９は、指令結果が復旧成功を示しているか否かを判定する（ステップＳ２０８）。
【００４９】
ステップＳ２０８で、指令結果が復旧成功を示していると判定された場合、管理センター９は、ステップＳ２０５で選択した復旧指令の復旧成功率を増加させる（ステップＳ２０９）。ステップＳ２０８で、指令結果が復旧失敗を示していると判定された場合、管理センター９は、ステップＳ２０５で選択した復旧指令の復旧成功率を減少させる（ステップＳ２１０）。
【００５０】
ステップＳ２０７で、指令結果を受信していないと判定された場合、管理センター９は、ステップＳ２０５で選択した復旧指令の復旧成功率を据置きにする（ステップＳ２１１）。
【００５１】
ステップＳ２０３で、検索結果が無いと判定された場合、管理センター９は、復旧指令データベース１３に異常コードと制御パラメータを登録する（ステップＳ２１２）。ステップＳ２１２に続いて、管理センター９は、出動指令を出力する（ステップＳ２１３）。ステップＳ２０４で、復旧成功率が０％であると判定された場合も、管理センター９は、ステップＳ２１３の処理を行う。ステップＳ２１３に続いて、管理センター９は、例えば、保守作業者１８による作業内容を復旧指令データベース１３に登録する（ステップＳ２１４）。管理センター９は、例えば、当該作業内容の復旧成功率を１００％に設定する（ステップＳ２１５）。
【００５２】
実施の形態１において、復旧指令データベース１３には、エレベーター１の異常コードと制御パラメータとの組合せごとに復旧指令及び復旧成功率が記憶されている。故障内容分析部１４は、エレベーター１から異常コード及び制御パラメータが送信された場合に、当該異常コードと当該制御パラメータとの組合せで復旧指令データベース１３を検索する。運転指令部１５は、例えば、故障内容分析部１４による検索結果に含まれる復旧指令の中で復旧成功率が一定値以上であり且つ最も高い復旧指令を選択し、当該選択された復旧指令をエレベーター１に送信する。このため、実施の形態１によれば、エレベーターに対して適切な復旧指令を遠隔操作で与えることができる。その結果、保守作業者が不必要に派遣されることを抑制することができる。
【００５３】
実施の形態１において、指令結果判定部１６は、運転指令部１５から送信された復旧指令によってエレベーター１の復旧が成功したか否かを判定する。データベース更新部１７は、例えば、運転指令部１５から送信された復旧指令によってエレベーター１の復旧が成功したと指令結果判定部１６により判定された場合に、復旧指令データベース１３に記憶されている当該復旧指令の復旧成功率を増加させる。データベース更新部１７は、例えば、運転指令部１５から送信された復旧指令によってエレベーター１の復旧が成功していないと指令結果判定部１６により判定された場合に、復旧指令データベース１３に記憶されている当該復旧指令の復旧成功率を減少させる。このため、実施の形態１によれば、復旧指令データベース１３に記憶されている復旧成功率をより適切な値に更新することができる。その結果、保守作業者が不必要に派遣されることを抑制することができる。
【００５４】
実施の形態１において、故障内容分析部１４は、例えば、検索結果に含まれる全ての復旧指令の復旧成功率が予め設定された基準値以下である場合に、保守作業者１８を出動させるための出動指令を出力する。運転指令部１５は、例えば、故障内容分析部１４による検索結果に含まれる全ての復旧指令の復旧成功率が基準値以下である場合に、エレベーター１に復旧指令を送信しない。このため、実施の形態１によれば、遠隔操作でエレベーターを復旧させられる可能性が低い場合に、保守作業者を派遣することができる。
【００５５】
実施の形態１において、故障内容分析部１４は、例えば、検索された異常コードと制御パラメータとの組合せが復旧指令データベース１３に存在しない場合に、当該組合せを復旧指令データベース１３に登録し、保守作業者１８を出動させるための出動指令を出力する。このため、実施の形態１によれば、エレベーターを復旧させられる可能性が未知である異常が検出された場合に、保守作業者を派遣することができる。
【００５６】
実施の形態１において、データベース更新部１７は、例えば、保守作業者１８によって実施された保守作業の内容及び当該保守作業に対応する復旧指令の少なくとも一方を復旧指令データベース１３に登録する。このため、実施の形態１によれば、復旧できる可能性が低い異常又は未知の異常への適切な対処法を復旧指令データベース１３に蓄積していくことができる。これにより、遠隔操作でエレベーターが復旧可能となる確率を向上させることができる。
【００５７】
実施の形態１において、制御装置７は、例えば、復旧失敗した場合に即座にエレベーター１を停止させなくともよい。制御装置７は、例えば、ステップＳ１１９の次にステップＳ１０３の処理を行ってもよい。つまり、制御装置７は、例えば、管理センター９に対して繰り返し異常コード及び制御パラメータを送信してもよい。この場合、管理センター９の運転指令部１５は、例えば、制御装置７に対して繰り返し復旧指令を送信してもよい。
【００５８】
以下、制御装置７に対する復旧指令の送信が繰り返される場合における管理センター９の動作例を説明する。管理センター９は、例えば、復旧失敗を示す指令結果を一定回数以上連続して受信した場合に、選択した復旧指令の復旧成功率を０％に設定してもよい。つまり、データベース更新部１７は、例えば、運転指令部１５からの復旧指令の送信及び当該復旧指令によってエレベーター１の復旧が成功していないという指令結果判定部１６による判定が予め設定された一定回数以上連続してなされた場合に、当該復旧指令の復旧成功率を０％に設定してもよい。また、管理センター９は、例えば、復旧失敗を示す指令結果を一定回数以上連続して受信した場合に、出動指令を出力してもよい。つまり、故障内容分析部１４は、例えば、運転指令部１５からの復旧指令の送信及び当該復旧指令によってエレベーター１の復旧が成功していないという指令結果判定部１６による判定が予め設定された一定回数以上連続してなされた場合に、出動指令を出力してもよい。これにより、遠隔操作によるエレベーター１の復旧を複数回試みた上で、復旧失敗した場合には保守作業者１８を派遣することができる。
【００５９】
図７は、管理センターのハードウェア構成図である。
【００６０】
管理センター９における復旧指令データベース１３、故障内容分析部１４、運転指令部１５、指令結果判定部１６及びデータベース更新部１７の各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図７は、処理回路が、その一部が専用ハードウェア５０として形成され、プロセッサ５１及びメモリ５２を備えている場合の例を示している。
【００６１】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００６２】
処理回路が少なくとも１つのプロセッサ５１及び少なくとも１つのメモリ５２を備える場合、復旧指令データベース１３、故障内容分析部１４、運転指令部１５、指令結果判定部１６及びデータベース更新部１７の各機能は、ソフトウェア、ファームウェア、又はソフトウェアとファームウェアとの組み合わせにより実現される。ソフトウェア及びファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００６３】
このように、処理回路は、ハードウェア、ソフトウェア、ファームウェア、又はこれらの組み合わせによって、管理センター９の各機能を実現することができる。なお、制御装置７の各機能も、図７に示す処理回路と同様の処理回路により実現される。
【産業上の利用可能性】
【００６４】
以上のように、本発明は、遠隔操作可能なエレベーターに適用できる。
【符号の説明】
【００６５】
１  エレベーター
２  昇降路
３  巻上機
４  ロープ
５  かご
６  釣合おもり
７  制御装置
８  保守装置
９  管理センター
１０  運転制御部
１１  故障判定部
１２  復旧動作確認部
１３  復旧指令データベース
１４  故障内容分析部
１５  運転指令部
１６  指令結果判定部
１７  データベース更新部
１８  保守作業者
５０  専用ハードウェア
５１  プロセッサ
５２  メモリ
【図１】
0006536756.tif 000002
【図２】
0006536756.tif 000003
【図３】
0006536756.tif 000004
【図４】
0006536756.tif 000005
【図５】
0006536756.tif 000006
【図６】
0006536756.tif 000007
【図７】
0006536756.tif 000008